(57)【要約】【課題】日常生活の場において好適に使用でき、もって電磁波被害から身を守ることが出来る、電磁波シールド用の身体保護用品を提案する。すなわち、日常の各種の生活活動シーンに応じて、簡単，容易，気軽に，ファッション性にも富んで使用可能な、身体保護用品を提案する。【解決手段】この電磁波シールド用の身体保護用品１は、電磁波の身体への悪影響を防止する。そして、子供用品２，被服，身の回り品，又は寝具その他の対象について、電磁波シールドクロスＡが用いられている。電磁波シールドクロスＡの使用態様としては、身体保護用品１の素材全体を形成するか、その生地の表面や裏面を覆うか、生地内に挟み込まれるか、又は、生地にて形成された収納空間内に添設される。なお、電磁波シールドクロスＡにアース線を付設し、もって接地可能としておくことも考えられる。【選択図】図１
2010043370.tif 000002
【特許請求の範囲】
【請求項１】
電磁波の身体への悪影響を防止する身体保護用品であって、子供用品，被服，身の回り品，又は寝具その他の対象について、電磁波シールドクロスが用いられていること、を特徴とする、電磁波シールド用の身体保護用品。
【請求項２】
請求項１に記載した電磁波シールド用の身体保護用品において、
該子供用品は、ベビーカー，チャイルドシート，シートクッション，ベビーカーカバー，又はスリングよりなり、該被服は、パーカー，ケープ，繋ぎ作業服，コート，多目的ウエア，ベスト，カバーパンツ，又はスカートよりなり、
該身の回り品は、携帯電話用アームバンド，履物，靴下，手袋，帽子，帽子下キャップ，ウエストポーチ，又は携帯電話用ホルダーよりなり、該寝具その他は、布団，毛布，マットレス，シーツ，又は車内用天蓋蚊帳よりなること、を特徴とする、電磁波シールド用の身体保護用品。
【請求項３】
請求項２に記載した電磁波シールド用の身体保護用品において、
該子供用品，被服，身の回り品，寝具その他は、該電磁波シールドクロスにアース線が付設され、もって接地可能となっていること、を特徴とする、電磁波シールド用の身体保護用品。
【請求項４】
請求項２に記載した電磁波シールド用の身体保護用品において、
該電磁波シールドクロスの使用態様として、該電磁波シールドクロスは、該子供用品，被服，身の回り品，寝具その他について、その素材全体を形成するか、その生地の表面や裏面を覆うか、生地内に挟み込まれるか、又は、生地にて形成された収納空間内に添設されていること、特徴とする、電磁波シールド用の身体保護用品。
【請求項５】
請求項２に記載した電磁波シールド用の身体保護用品において、
該被服や身の回り品は、電磁波過敏症を表示するロゴ，メッセージ，又はワッペンが付設されていること、を特徴とする、電磁波シールド用の身体保護用品。
【発明の詳細な説明】
【技術分野】
【０００１】
本発明は、電磁波シールド用の身体保護用品に関する。すなわち日常生活の場において、有害な電磁波の被害から身を守る、身体保護用品に関するものである。
【背景技術】
【０００２】
身の回りの各種電化製品，通信機器，ＯＡ機器等々から発生する高周波電磁波や、送電線，電気配線，各種の電化製品等々の電磁場からの低周波電磁波について、人体の細胞，免疫システム，各種機能等への危険性が、最近問題となっている。
例えば、電子レンジ，ＩＨ調理器，冷蔵庫，テレビ，照明，携帯電話，その送信所，コードレス電話機，無線ＬＡＮ，パソコン，モーター，エンジン，更には屋内電気配線，電車内，自動車内、等々からは、高周波から低周波まで、電界レベルから磁界レベルまでの各種電磁波が発生している。そして最近の技術革新に伴い、日常生活の場でも電磁波は増大の一途を辿っている。
そして電磁波は、その刺激が人体に各種機能障害を与える虞がある。例えば、皮膚の痛み，手足の赤斑，傷，頭痛，眼精疲労，内臓変調，胸部や腹部の痛み，疲労，情緒不安，ガン，異常出産、等々の人体への悪影響が指摘されている。
特に、電磁波の影響を強く受け易い電磁波過敏症の人達にとっては、ゆゆしき問題となっており、ペースメーカー等を装着中の人にとっても、誤作動等が大きな問題となっている。
【発明の開示】
【発明が解決しようとする課題】
【０００３】
さて、このように有害な電磁波を、日常生活の場において的確に防ぐ製品は、現在の所では見当らない。僅かに、例えばレーダー作業現場等の業務用分野において、電磁波シールドクロス製の防護服，帽子，遮蔽カーテン，パソコン操作用手袋等々が、製品化されているに過ぎない。
このように従来、電磁波シールド用の身体保護用品は、特殊な専用の用途製品として散見されるに過ぎないと共に、日常生活の場において、その各種の生活活動シーンに応じて、的確に使用できるものではなかった。例えば、女性や子供等が、その日常生活の場で好適に使用することが期待できるものは、未だ出現していなかった。
特に、妊婦（妊娠中の胎児），発育中の乳児や幼児，成長中の子供等は、電磁波の悪影響を受け易いが、このような妊婦，乳幼児，子供等が、その各種生活シーンに応じて、簡単，容易，気軽に，ファッション性にも富んで使用できるものは、存在していなかった。
【０００４】
本発明の電磁波シールド用の身体保護用品は、このような実情に鑑み、上記従来例の課題を解決すべくなされたものである。
そして本発明は、日常生活において好適に使用することができる、電磁波シールド用の身体保護用品を、提案することを目的とする。
【課題を解決するための手段】
【０００５】
このような課題を解決する本発明の技術的手段は、次のとおりである。まず、請求項１については次のとおり。
請求項１の電磁波シールド用の身体保護用品は、電磁波の身体への悪影響を防止する。そして、子供用品，被服，身の回り品，又は寝具その他の対象について、電磁波シールドクロスが用いられていること、を特徴とする。
請求項２については、次のとおり。請求項２の電磁波シールド用の身体保護用品では、請求項１において、該子供用品は、ベビーカー，チャイルドシート，シートクッション，ベビーカーカバー，又はスリングよりなる。該被服は、パーカー，ケープ，繋ぎ作業服，コート，多目的ウエア，ベスト，カバーパンツ，又はスカートよりなる。
該身の回り品は、携帯電話用アームバンド，履物，靴下，手袋，帽子，帽子下キャップ，ウエストポーチ，又は携帯電話用ホルダーよりなる。該寝具その他は、布団，毛布，マットレス，又はシーツ，又は車内用天蓋蚊帳よりなること、を特徴とする。
【０００６】
請求項３については、次のとおり。請求項３の電磁波シールド用の身体保護用品では、請求項２において、該子供用品，被服，身の回り品，寝具その他は、該電磁波シールドクロスにアース線が付設され、もって接地可能となっていること、を特徴とする。
請求項４については、次のとおり。請求項４の電磁波シールド用の身体保護用品では、請求項２において、該電磁波シールドクロスの使用態様として、該電磁波シールドクロスは、該子供用品，被服，身の回り品，寝具その他について、その素材全体を形成するか、その生地の表面や裏面を覆うか、生地内に挟み込まれるか、又は、生地にて形成された収納空間内に添設されていること、を特徴とする。
請求項５については、次のとおり。請求項５の電磁波シールド用の身体保護用品では、請求項２において、該被服や身の回り品は、電磁波過敏症を表示するロゴ，メッセージ，又はワッペンが付設されていること、を特徴とする。
【０００７】
本発明は、このような手段よりなるので、次のようになる。
各種電化製品，通信機器，ＯＡ機器等の発達に伴い、高周波電磁波の危険性や、送電線や電気配線も含めた低周波電磁波の危険性が、最近問題となっている。特に、電磁波の影響を受け易い胎児，乳児，幼児，電磁波過敏症の人達や、ペースメーカー等を装着している人等にとっては、深刻な問題となっている。
本発明は、一般の人は勿論のこと、これらの人達にとって大きな朗報となるものである。すなわち、本発明の身体保護用品は、各種の子供用品，被服，身の回り品，寝具その他にわたっており、日常の各生活活動シーンに応じて、簡単，容易，気軽に，ファッション性にも優れて、使用可能である。そして、その電磁波シールドクロスが、有害電磁波を反射や吸収減衰させ、もって身体に対し遮断させてしまい、身体が確実に守られるようになる。
なお、電磁波シールドクロスにアース線を付設しておくと、このような電磁波遮断が一段と効果的に実現される。又、電磁波シールドクロスの使用態様は様々であり、この面からも容易に使用可能となる。更に、電磁波過敏症の表示を、ロゴ，メッセージ，ワッペン等として付設しておくと、電磁波問題の社会アッピール手段として有効である。
さてそこで、このような本発明の電磁波シールド用の身体保護用品は、次の効果を発揮する。
【発明の効果】
【０００８】
本発明の電磁波シールド用の身体保護用品は、日常生活の場において好適に使用でき、もって電磁波の被害から身を守ることができる。
すなわち、本発明の身体保護用品は、子供用品，被服，身の回り品，寝具等を対象とし、前述したこの種従来例のように、業務用の特殊な専用用途の製品ではなく、どこにでもある既製商品を対象とする。そして、日常の各種の生活活動シーンに応じて、簡単，容易，気軽に、ファッション性にも富んで使用可能であると共に、量産性やコスト面にも優れている。
そこで特に、電磁波の影響を受け易い妊婦，胎児，乳児，幼児，子供等を、電磁波による人体障害から的確に守ることができるようになる。又、電磁波の影響を強く受け易い電磁波過敏症の人達や、ペースメーカー等の医療機器装着中の人にとっても、大きな朗報となることが期待される。
このように、この種従来例に存した課題がすべて解決される等、本発明の発揮する効果は、顕著にして大なるものがある。
【発明を実施するための最良の形態】
【０００９】
以下、本発明の電磁波シールド用の身体保護用品を、図面に示した発明を実施するための最良の形態に基づいて、詳細に説明する。図１〜図４は、本発明を実施するための最良の形態の説明に供する。
そして、図１の（１）図〜（６）図は、各種子供用品の概略説明図である。図２の（１）図〜（８）図は、各種被服の概略説明図である。
図３の（１）図〜（７）図は、各種身の回り品の概略説明図、（８）図は、寝具の概略説明図、（９）図は、車内用天蓋蚊帳の概略説明図である。
図４の（１）図〜（４）図は、アース線が付設された例の概略説明図、（５）図〜（９）図は、電磁波シールドクロスの使用態様の断面説明図、（１０）図は、電磁波過敏症の表示例の説明図である
【００１０】
この電磁波シールド用の身体保護用品１は、電磁波の身体への悪影響を防止する。そして子供用品２，被服３，身の回り品４，又は寝具その他５の対象について、電磁波シールドクロスＡが用いられている。
まず、使用される電磁波シールドクロスＡについて、説明する。電磁波シールドクロスＡとしては、広く各種の構成や機能のものが使用可能である。
すなわち、この電磁波シールドクロスＡとしては、ニッケル，銅，銀，アルミニウム，その他の導電性材料と、綿，麻，絹，羊毛，ナイロン，ポリエステル，ポリエチレン，アクリル，レーヨン，その他の通常の繊維材とを、組み合わせた公知のものが使用される。例えば、導電性材料製の糸，又は導電性材料を繊維材にコーティング，蒸着，メッキ，被覆，ラミネートした糸が、通常の繊維材製の糸と共に又は単独で、織物，不織布，編物として使用される。更に、本明細書で言う電磁波シールドクロスＡは、狭義のクロス（布）に限定されるものではなく、シート状をなすものも包含される。
電磁波シールドクロスＡは、高周波から低周波までの各種電磁波、電界レベルから磁界レベルまでの各種電磁波を対象とする。すなわち、Ｘ線，紫外線，可視光線，赤外線，マイクロ波，その他の各種の電磁波を、その導電性材料の導電性に基づき反射や吸収減衰し、もって電磁波の遮断効果を発揮可能となっている。
又、この電磁波シールドクロスＡは、導電性材料の選択次第では、高周波の電磁波遮断用に特化したものや、低周波の電磁波遮断用に特化したものとすることが、可能である。又、電磁波の反射機能に特に優れたものや、電磁波の吸収機能に特に優れたものとすることも、可能である。つまり、その身体保護用品１が、どのような日常生活の場で主に使用され、どのような高周波を主に対象とするかによって、使用される導電性材料を選択するようにすることも考えられる。
更に、電磁波シールドクロスＡは、対象とする子供用品２，被服３，身の回り品４，寝具その他５について、後で詳述するように、その全部（全体）又はその要部（一部）として使用される。
【００１１】
次に、本発明の電磁波シールド用の身体保護用品１について、その対象商品を順に説明する。まず、身体保護用品１の代表例である子供用品２（主に乳幼児用品）について、図１を参照して説明する。
図１の（１）図ではベビーカーが、（２）図ではチャイルドシートが、（３）図ではシートクッションが、（４）図ではベビーカーカバーが、（５）図ではスリングが、（６）図では同スリングの使用状態が、各々示されている。
このような各子供用品２について、更に詳述する。まず、図１の（１）図では、子供用品２のベビーカーについて、躯体部分や車輪部分以外の天蓋部分や座席部分について、電磁波シールドクロスＡが使用されている。図１の（２）図では、子供用品２の車載用のチャイルドシートについて、電磁波シールドクロスＡが使用されている。
図１の（３）図では、子供用品２の上述したベビーカーやチャイルドシート用のシートクッション、つまりベビー用座布団について、電磁波シールドクロスＡが使用されている。図１の（４）図，（５）図，（６）図では、子供用品２のベビーカーカバーや、乳幼児を包んで抱くスリング等について、各々電磁波シールドクロスＡが用いられている。
なお、子供用品２の身体保護用品１としては、このような各図示例に限定されるものではなく、その他各種の子供用品２に、本発明は適用可能である。
【００１２】
次に、電磁波シールド用の身体保護用品１の代表例である被服３について、図２を参照して説明する。
図２の（１）図ではパーカーが、（２）図ではケープが、（３）図では繋ぎ作業服が、（４）図ではコートが、（５）図では多目的ウエアが、（６）図ではベストが、（７）図ではカバーパンツが、（８）図ではスカートが、各々示されている。
まず、図２の（１）図では、被服３のパーカーについて、電磁波シールドクロスＡが使用されている。なお、このパーカーについては、顔や手の甲を覆う部分（図中では斜線表示）も、電磁波シールドクロスＡで付設しておき、その不使用時は邪魔にならない様にマジックテープ（株式会社クラレの登録商標）やホック等で、上に上げ止めしておくようにしてもよい。
図２の（２）図，（３）図では、被服３の上下の繋ぎ作業服や、服等の上から被るケープについて、電磁波シールドクロスＡが使用されている。図２の（４）図，（５）図，（６）図では、被服３のコートや、上着とズボンからなる多目的ウェアや、主にアウトドア用のベスト等について、電磁波シールドクロスＡが使用されている。
図２の（７）図，（８）図では、被服３のカバーパンツやスカートについて、電磁波シールドクロスＡが使用されている。カバーパンツは、生殖器を電磁波から守るため、通常のトランクスやブリーフ等のパンツの上に、着用される。
なお、被服３の身体保護用品１としては、このような各図示例に限定されるものではなく、その他各種の被服３に、本発明は適用可能である。
【００１３】
次に、電磁波シールド用の身体保護用品１の代表例である身の回り品４について、図３の（１）図〜（７）図を参照して説明する。
図３の（１）図では携帯電話用アームバンドが、（２）図では履物が、（３）図では靴下が、（４）図では手袋が、（５）図では帽子や帽子下キャップが、（６）図ではウエストポーチが、（７）図では携帯電話用ホルダーが、各々示されている。
まず、図３の（１）図では、身の回り品４の携帯電話用アームバンドについて、携帯電話を収納するために付設された収納空間６の内側（腕側）に、電磁波シールドクロスＡが添設配置されている。
図３の（２）図では、身の回り品４のくつ，ブーツ，室内履き，スリッパ等の履物について、電磁波シールドクロスＡが使用されている。図３の（３）図，（４）図では、身の回り品４のソックス等の靴下や、パソコン操作用等ではなく日常の外出時用の身の回り品４としての手袋について、電磁波シールドクロスＡが使用されている。
図３の（５）図では、業務用としてではなく身の回り品４の帽子について、電磁波シールドクロスＡが使用されている。又、同図に示された帽子下キャップは、電磁波シールドクロスＡ製よりなり、半球状をなし、帽子の下に被って使用され、前後にベール７が付設され、身の回り品４として使用される。ベール７は、携帯電話からの電磁波に対し特に効果的であるが、不使用時は邪魔にならない様にマジックテープ（株式会社クラレの登録商標）やホック等で、上に上げて止めておくようにしてもよい。
図３の（６）図，（７）図では、身の回り品４のウエストポーチや携帯電話ホルダーについて、その収納空間６や携帯電話用の収納空間６の内側（身体側）に、電磁波シールドクロスＡが添設配置されている。
なお、身の回り品４の身体保護用品１としては、このような各図示例に限定されるものではなく、その他各種の身の回り品４に、本発明は適用可能である。
【００１４】
次に、電磁波シールド用の身体保護用品１である寝具その他５について、図３の（８）図，（９）図を参照して説明する。
図３の（８）図は、寝具その他５として、布団，毛布，マットレス，シーツ等が示され、（９）図では、車内用天蓋蚊帳が示されている。
まず、図３の（８）図では、上掛布団，毛布，敷布団，シーツ，マットレス等の寝具について、電磁波シールドクロスＡが使用されている。特に、敷布団，シーツ，マットレス等は、２階建の家屋の２階を寝室とする場合や多層マンションにおいて、下側階の屋内電気配線や階下の各種電化製品等からの低周波電磁波対策として、効果的である。
又、図３の（９）図に示した車内用天蓋蚊帳は、自動車の乗客用として使用され、電磁波シールドクロスＡ製よりなり、車内の天井から垂下設されており、乗車時に略蚊帳のようにして使用される。
なお、寝具その他５の身体保護用品１としては、このような図示例に限定されるものではなく、その他各種の寝具その他５に、本発明は適用可能である。
【００１５】
次に、アースについて説明する。このような身体保護用品１の各子供用品２，被服３，身の回り品４，寝具その他５については、その電磁波シールドクロスＡにアース線８を付設し、もって接地可能とすることが考えられる。
例えば、図４の（１）図には、子供用品２の１例としてベビーカーが、（２）図には、被服３の１例として多目的ウェアが、（３）図には、身の回り品４の１例として履物が、（４）図には、寝具その他５の１例として寝具が、それぞれ示されているが、それぞれの電磁波シールドクロスＡについて、アース線８が付設されており、もって接地可能となっている。
なお、このような図示例だけではなく、その他の前述した各種の子供用品２，被服３，身の回り品４，寝具その他５等々についても、勿論、アース線８を付設可能である。
【００１６】
次に、身体保護用品１における電磁波シールドクロスＡの使用態様について、説明しておく。
図４の（５）図〜（９）図は、電磁波シールドクロスＡの各使用態様の説明に供する。そして（５）図では、電磁波シールドクロスＡが、その素材全体を形成した例が、（６）図は、電磁波シールドクロスＡが、生地９の表面又は裏面を覆った例が示されている。（７）図では、電磁波シールドクロスＡが、生地９の表面および裏面に貼り合わされて覆った例が、（８）図では、電磁波シールドクロスＡが、生地９内に挟み込まれ埋め込まれた例が、（９）図では、生地９にて形成された収納空間６内に、電磁波シールドクロスＡが添設された例が、それぞれ示されている。
すなわち、前述した身体保護用品１の各子供用品２，被服３，身の回り品４，寝具その他５等について、電磁波シールドクロスＡは、図４の（５）図〜（９）図に示した各種の使用態様のいずれかで、使用可能される。
勿論、前述した子供用品２，被服３，身の回り品４，寝具その他５のベビーカーカバー，パーカー，ケープ，カバーパンツ，帽子下キャップ，シーツ等については、電磁波シールドクロスＡが、図４の（５）図のように、素材全体を形成ケースが多い。又、寝具その他５の布団，マットレス等については、図４の（８）図のように、電磁波シールドクロスＡを、生地９内に挟み込んだケースが多い。更に、身の回り品４の携帯電話用アームバンド，ウエストポーチ，携帯電話用ホルダー等については、生地９にて形成される収納空間６の身体側に、電磁波シールドクロスＡを、添設するケースが多くなる。
【００１７】
次に、電磁波過敏症表示について、説明する。図４の（１０）図に示したように、上述した身体保護用品１の各被服３や身の回り品４について、電磁波過敏症を表示するロゴ，メッセージ，又はワッペンを付設することが考えられる。
例えば、パーカー，繋ぎ作業服の上着，多目的ウェアの上着，コート，ベスト，履物，靴下，手袋，帽子，ウエストポーチ，携帯電話用アームバンド，携帯電話ホルダー等について、「電磁波過敏症」，「私は電磁波過敏症です。このウェア（グッズ）は、有害な電磁波から私を守っています」，「私は電磁波過敏症の支援者です」等々を表示したロゴ，メッセージ，ワッペン等を、付設しておくことが考えられる。
このような表示を実施することにより、社会に対し電磁波過敏症の人がいることをアッピールして、理解を深めてもらい、更なる協力を得られるようにすることを、目的とする。つまり、社会に電磁波を意識させることを、目的とする。
【００１８】
本発明の電磁波シールド用の身体保護用品１は、以上説明したように構成されている。そこで、以下のようになる。
最近、身の回り品の各種電化製品，通信機器，ＯＡ機器等々の発達に伴い、これらからの高周波電磁波の人体への危険性や、送電線や電気配線からのものも含めた低周波電磁波の人体への危険性が、大きな問題となっている。
家庭内，自動車内，電車内、更には人込み，オフィス，学校等において、波長の短いものから長いものまで各種の電磁波に囲まれての生活を、われわれは強いられている状況にあり、今後、電磁波を浴びる危険性は益々増大すると予測される。
そして、このような事態の進展は、特に、電磁波の影響を受け易い胎児，乳児，幼児等にとって，憂慮すべきテーマとなっている。更に、電磁波過敏症の人達や、心臓ペースメーカーその他の医療電子機器を体に装着している人等にとっては、深刻な問題となっている。
そこで、本発明の電磁波シールド用の身体保護用品１は、一般の人は勿論のこと、これらの胎児，乳児，幼児，電磁波過敏症，ペースメーカー等の使用者、等々にとって大きな朗報となり得るものである。
すなわち、この身体保護用品１は、各種の子供用品２，被服３，身の回り品４，寝具その他５等、どこにでもある一般品にわたっており（図１〜図３を参照）、日常の各種の生活活動シーンに応じて、簡単，容易，気軽に，ファッション性にも優れて、自由に選択使用可能である。
そして、これらの身体保護用品１に採用されている電磁波シールドクロスＡが、有害電磁波を反射や吸収減衰させて通過せず、もって有害電磁波を身体に対しシールド遮蔽して、遮断させてしまう。もって電磁波被曝から、身体が確実に守られるようになる。例えば、胎児，乳児，幼児等や、その世話等をする人は、有害電磁波から遮断され守られるようになる。
【００１９】
なお第１に、このような身体保護用品１について、その電磁波シールドクロスＡに、アース線８を付設しておくと（図４の（１）図〜（４）図を参照）、地面との間に電路が形成され、もって電磁波の吸収減衰等による遮断作用が、より一段と効果的に実現されるようになる。
第２に、この身体保護用品１における電磁波シールドクロスＡの使用態様は、様々であり（図４の（５）図〜（９）図を参照）、この面からも、この身体保護用品１は容易に使用可能である。
第３に、更に電磁波過敏症表示を、これらの身体保護用品１について、ロゴ，メッセージ，ワッペン等として付設しておくと（図４の（１０）図を参照）、電磁波問題を社会にアッピールして、意識改革させる手段として有効である。
本発明の作用等は、このようになっている。
【図面の簡単な説明】
【００２０】
【図１】本発明に係る電磁波シールド用の身体保護用品について、発明を実施するための最良の形態の説明に供し、各種子供用品の概略説明図である。そして、（１）図はベビーカーを、（２）図はチャイルドシートを、（３）図はシートクッションを、（４）図はベビーカーカバーを、（５）図はスリングを、（６）図は同スリングを、それぞれ示している。
【図２】同発明を実施するための最良の形態の説明に供し、各種被服の概略説明図である。そして、（１）図はパーカーを、（２）図はケープを、（３）図は繋ぎ作業服を、（４）図はコートを、（５）図は多目的ウエアを、（６）図はベストを、（７）図はカバーパンツを、（８）図はスカートを、それぞれ示す。
【図３】同発明を実施するための最良の形態の説明に供し、（１）図〜（７）図は、各種身の回り品の概略説明図である。そして、（１）図は携帯電話用アームバンドを、（２）図は履物を、（３）図は靴下を、（４）図は手袋を、（５）図は帽子や帽子下キャップを、（６）図はウエストポーチを、（７）図は携帯電話用ホルダーを、それぞれ示す。  （８）図は、寝具の概略説明図であり、布団，毛布，マットレス，シーツ等を示す。（９）図は、車内用天蓋蚊帳の概略説明図である。
【図４】同発明を実施するための最良の形態の説明に供し、（１）図〜（４）図は、アース線が付設された例の概略説明図である。そして（１）図は、子供用品の１例としてベビーカーを、（２）図は、被服の１例として多目的ウェアを、（３）図は、身の回り品の１例として履物を、（４）図は、寝具の例をそれぞれ示す。  （５）図〜（９）図は、電磁波シールドクロスの各使用態様の説明に供する、断面説明図である。そして、（５）図は、素材全体を形成した例を、（６）図は、生地の表面又は裏面を覆った例を、（７）図は、生地の表面および裏面を覆った例を、（８）図は、生地内に挟み込まれた例を、（９）図は、生地にて形成された収納空間内に添設された例を、それぞれ示す。  （１０）図は、電磁波過敏症の表示例の説明図である。
【符号の説明】
【００２１】
１  身体保護用品
２  子供用品
３  被服
４  身の回り品
５  寝具その他
６  収納空間
７  ベール
８  アース線
９  生地
Ａ  電磁波シールドクロス
【図１】
2010043370.tif 000003
【図２】
2010043370.tif 000004
【図３】
2010043370.tif 000005
【図４】
2010043370.tif 000006